(57)【要約】【課題】  レンジフードファンの駆動によって住宅内が負圧となってしまうことのない換気システムを提供することにある。【解決手段】  外気を室内へ給気する中間ダクトファン４０と、室内の空気を外へ排気する浴室空調装置１０とを備えた換気システムであって、台所等の空気を外へ排気するレンジフードファン７０を備え、このレンジフードファン７０が動作されたとき、中間ダクトファン４０による給気を増加させ、または浴室空調装置１０による排気量を低下させる。【選択図】  図９
2006046731.tif 000002
【特許請求の範囲】
【請求項１】
外気を室内へ給気する給気手段と、室内の空気を外へ排気する第１排気手段とを備えた換気システムであって、
他の室内の空気を外へ排気する第２排気手段を備え、
この第２排気手段が動作されたとき、前記給気手段による給気量と第１,第２排気手段による総排気量とのバランスを崩さないように前記給気手段と第１排気手段を制御することを特徴とする換気システム。
【請求項２】
外気を室内へ給気する給気手段と、室内の空気を外へ排気する第１排気手段とを備えた換気システムであって、
他の室内の空気を外へ排気する第２排気手段を備え、
この第２排気手段が動作されたとき、前記給気手段による給気量の増加、第１排気手段による排気量の低下の少なくともいずれかを行うことを特徴とする換気システム。
【請求項３】
外気を室内へ給気する給気手段と、室内の空気を外へ排気する第１排気手段とを備えた換気システムであって、
外気風の影響などの環境変化により、前記給気手段による給気風量や第１排気手段による排気風量が変動したとき、どちらか一方の風量が規定風量を満たすように前記給気手段の駆動力、第１排気手段の駆動力の少なくとも何れかを調整することを特徴とする換気システム。
【請求項４】
前記給気手段と第１排気手段が別々の装置であり、該給気手段と第１排気手段とを連動して制御するようにしたことを特徴とする請求項１ないし請求項３のいずれか１つに記載の換気システム
【請求項５】
外気と室内排出空気とを熱交換する熱交換手段を備えたことを特徴とする請求項１ないし請求項４のいずれか１つに記載の換気システム。
【請求項６】
請求項１ないし請求項５に記載の換気システムを備えたことを特徴とする住宅構造。
【発明の詳細な説明】
【技術分野】
【０００１】
この発明は、外気を室内へ給気する給気手段と、室内の空気を外へ排気する第１排気手段とを備えた換気システムと、この換気システムを備えた住宅構造に関する。
【背景技術】
【０００２】
近年、住宅の気密性が高まっており、十分な換気を行わないと二酸化炭素濃度が高くなり過ぎたり、特に、新築住宅などではホルムアルデヒドや揮発性有機化合物（ＶＯＣ：Ｖapor Ｏrganic Ｃomposition）の濃度が高くなり過ぎることがある。この問題を解決するために、例えば特許文献１に示す浴室空調装置を用いて住宅の換気を行うようにしたものが提案されている。
【０００３】
この浴室空調装置は、浴室の換気を行う他に他の部屋（洗面所,トイレ等）の換気を並行して行うようになっている。
【０００４】
また、給気用送風機と排気用送風機を備えた全熱交換型換気装置を用いて住宅の換気を行うための換気装置もある（特許文献１参照）。
【０００５】
かかる換気装置は、外気をダクトを介して各室内に給気して、還気口より室内空気を吸い込み、屋外へ排出するものであり、これにより住宅の換気を行うようにしたものである。
【特許文献１】特開平１０−２８１５２３号公報
【発明の開示】
【発明が解決しようとする課題】
【０００６】
ところで、レンジフードファンが台所等に設けられており、このレンジフードファンの排気量は前述した浴室空調装置や全熱交換型換気装置の排気量よりも多いのが一般的である。
【０００７】
このため、このような換気システムにあっては、台所等に設けたレンジフードファンが駆動されると、レンジフードファンによる排気量と、全熱交換型換気装置による排気量との総排気量が全熱交換型換気装置によって、給気される給気量より上回ってしまい、住宅内が負圧となってしまう。すなわち、給気量と総排気量とのバランスが崩れてしまう。この結果、ドアや窓の開閉動作が重くなったり、窓の隙間から流入する風によって風切り音が発生したりする等の問題があり、特に高気密住宅ではこの問題が顕著なものとなる。
【０００８】
また、浴室空調装置の排気ダクトに接続されるとともに建物の外壁に設けた排気口に向かって強い風が吹くと、浴室空調装置による排気量が低下するとともに浴室空調装置のファンモータの負荷が増加する。このため、浴室空調装置の消費電力が増加したり、回転数の変動により騒音が発生したりしてしまい、最近の高層住宅ではこの問題が顕著となっている。
【０００９】
この発明の目的は、給気量と総排気量とのバランスが崩れてしまうことのない換気システムを提供することにある。また、レンジフードファンや他の換気装置等の駆動によって住宅内が負圧となってしまうことのない換気システムを提供することにある。また、外の強い風の影響を受けることなく省エネを図ることのできる換気システムを提供することにある。
【課題を解決するための手段】
【００１０】
請求項１の発明は、外気を室内へ給気する給気手段と、室内の空気を外へ排気する第１排気手段とを備えた換気システムであって、
他の室内の空気を外へ排気する第２排気手段を備え、
この第２排気手段が動作されたとき、前記給気手段による給気量と第１,第２排気手段による総排気量とのバランスを崩さないように前記給気手段と第１排気手段を制御することを特徴とする。
【００１１】
請求項２の発明は、外気を室内へ給気する給気手段と、室内の空気を外へ排気する第１排気手段とを備えた換気システムであって、
他の室内の空気を外へ排気する第２排気手段を備え、
この第２排気手段が動作されたとき、前記給気手段による給気量の増加、第１排気手段による排気量の低下の少なくともいずれかを行うことを特徴とする。
【００１２】
請求項３の発明は、外気を室内へ給気する給気手段と、室内の空気を外へ排気する第１排気手段とを備えた換気システムであって、
外気風の影響などの環境変化により、前記給気手段による給気風量や第１排気手段による排気風量が変動したとき、どちらか一方の風量が規定風量を満たすように前記給気手段の駆動力、第１排気手段の駆動力の少なくとも何れかを調整することを特徴とする。
【００１３】
請求項４の発明は、前記給気手段と第１排気手段が別々の装置であり、該給気手段と第１排気手段とを連動して制御するようにしたことを特徴とする。
【００１４】
請求項５の発明は、外気と室内排出空気とを熱交換する熱交換手段を備えた換気システムであることを特徴とする。
【００１５】
請求項６の発明は、請求項１ないし請求項５に記載の換気システムを備えた住宅構造であることを特徴とする。
【発明の効果】
【００１６】
この発明によれば、給気量と総排気量とのバランスが崩れてしまうことがない。
【００１７】
また、第２排気手段が駆動されても住宅内が負圧となってしまうことを防止することができる。
【００１８】
また、風の影響を受けることなく省エネを図ることができる。
【発明を実施するための最良の形態】
【００１９】
以下、この発明に係わる換気システムの実施例を図面に基づいて説明する。
【実施例】
【００２０】
［第１実施例］
図１はこの発明に係わる換気システム１示す。この換気システム１は、浴室２の天井（図示せず）に設けた浴室空調装置（第１排気手段）１０と、廊下３の天井（図示せず）に設けた中間ダクトファン（給気手段）４０とを備えている。また、キッチン（台所）４にはレンジフードファン（第２排気手段）７０が設けられている。
［浴室空調装置１０］
浴室空調装置１０は、図２および図３に示すように、浴室２の天井Ｔ内に取り付けた本体ケース１２を有している。この本体ケース１２の下面には、浴室２内の空気を吸い込む第１,第２吸込口１３,１４と、この第２吸込口１４から吸い込んだ空気を浴室内へ吹き出す吹出口１５とが設けられている。吹出口１５内にはＰＴＣヒータ（自己温度制御機能付きヒータ）等のヒータ１６が取り付けられており、吹出口１５から吹き出す空気をそのヒータ１６によって暖めるようになっている。
【００２１】
本体ケース１２の一側面には、他の部屋（洗面所やトイレ等）の空気を吸気する第１,第２吸気口１８,１９が設けられており、本体ケース１２の他側面には第１吸込口１３や第１,第２吸気口１８,１９から吸い込んだ空気を排気する排気口２０が設けられている。この排気口２０は、接続ダクト２０Ａに接続された排気ダクト２１を介して室外に連通している。また、第１,第２吸気口１８,１９は接続ダクト１８Ａ,１９Ａに接続されたダクト２２,２３を介して洗面所５とトイレ６にそれぞれに連通している。２５はダクト２２に接続され洗面所５の天井（図示せず）等に設けられている通気口である。２６はダクト２３に接続されたトイレ６の天井（図示せず）等に設けられている通気口である。
【００２２】
本体ケース１２内には、第１吸込口１３や第１,第２吸気口１８,１９から空気を吸い込んで排気口２０へ送風する換気用のシロッコファン（換気ファン）２８と、第２吸込口１４から吸い込んだ空気を吹出口１５へ送風する循環用のシロッコファン２９とが設けられている。シロッコファン２８はモータＭ１により回転され、シロッコファン２９はモータＭ２により回転される。
［中間ダクトファン４０］
中間ダクトファン４０は、図４および図５に示すように、屋根裏に吊るされる本体ケース４１と、この本体ケース４１内に設けられたシロッコファン（給気ファン）４２と、このシロッコファン４２を回転させるモータＭ３と、本体ケース４１内の左側面に着脱可能に装着された高性能フィルタ４３等とを備えている。本体ケース４１の底部には後述するドレインパン４４と開閉可能な蓋４５が設けられており、この蓋４５を図５に示す鎖線の位置へ開成することにより、高性能フィルタ４３を取り出せるようになっている。この高性能フィルタ４３は、塵埃を除去するプレフィルタ４３Ａと、ＮＯX（窒素酸化物）を除去するＮＯXフィルタ４３Ｂとを有している。
【００２３】
ドレインパン４４は本体ケース４１内で結露した水滴を受けて溜めるものであり、この溜まった水は図示しないホースを介して外へ排出されるようになっている。
【００２４】
また、本体ケース４１の一側面（左側面）には高性能フィルタ４３に対向して吸気口４６が形成され、この吸気口４６は接続ダクト４７Ａに接続された吸気ダクト４７を介して室外に連通している。そして、シロッコファン４２が回転すると吸気口４６から吸気ダクト４７を介して外気が吸気され、この吸気された外気がシロッコファン４２により本体ケース４１の右側面に向けて送風されるようになっている。
【００２５】
本体ケース４１の他側面（右側面）にはチャンバ５０が取り付けられており、このチャンバ５０内にはシロッコファン４２によって送風される外気が送り込まれる。
【００２６】
チャンバ５０の右側面には３つの給気口５１,５２,５３が形成され、チャンバ５０の一端面（図４において上面）と他端面（図４において下面）には給気口５４と給気口５５が形成されている。給気口５１は接続ダクト５６Ａに接続された給気ダクト５６を介して図１に示す洋室（部屋）７に連通し、給気口５２は接続ダクト５７Ａに接続された給気ダクト５７を介してダイニングルーム（部屋）８に連通し、給気口５３は接続ダクト５８Ａに接続された給気ダクト５８を介して和室（部屋）９にに連通している。また、給気口５４は接続ダクト５９Ａに接続された給気ダクト５９を介して洋室（部屋）６０に連通し、給気口５５は接続ダクト６１Ａに接続された給気ダクト６１を介して洋室（部屋）６２に連通している。
【００２７】
図１において、６３は給気ダクト５６に接続された給気グリルであり、この給気グリル６３は洋室７の壁等に設けられている。６４は給気ダクト５７に接続された給気グリルであり、この給気グリル６４はダイニングルーム８の壁等に設けられている。６５は給気ダクト５８に接続された給気グリルであり、この給気グリル６５は和室９の壁等に設けられている。６６は給気ダクト５９に接続された給気グリルであり、この給気グリル６６は洋室６０の壁等に設けられている。６７は給気ダクト６１に接続された給気グリルであり、この給気グリル６７は洋室６２の壁等に設けられている。
［レンジフードファン７０］
レンジフードファン７０は、図６に示すように、排気ファン７１と、この排気ファン７１を回転させるモータＭ４等とを備えている。
［制御系］
図７は換気システム１の制御系の構成を示したブロック図である。図７において、３０は浴室空調装置１０の制御装置であり、この制御装置３０はリモコン３１の操作に基づいてモータＭ１,Ｍ２の駆動やヒータ１６の通電を制御するようになっている。８０は中間ダクトファン４０のモータ駆動回路であり、このモータ駆動回路は浴室空調装置１０の制御装置３０からの制御信号に基づいてモータＭ３を駆動するようになっている。９０は電源スイッチ９１がオンされているときモータＭ４を駆動する駆動回路であり、この駆動回路９０はモータＭ４を駆動しているときレンジフードファン７０が運転されていることを示す運転信号を浴室空調装置１０の制御装置３０へ出力するようになっている。
【００２８】
この運転信号は、例えば電源スイッチ９１がオンされていることを検知するマイクロスイッチやモータＭ４に流れる電流を検知するコイル等から得るものである。
［動  作］
次に、上記のように構成される換気システム１の動作について説明する。
【００２９】
いま、浴室空調装置１０による各部屋の換気と、中間ダクトファン４０による各部屋への給気とが行われているとする。
【００３０】
すなわち、浴室空調装置１０のリモコン３１の操作により換気モードが設定されてモータＭ１が駆動され、このモータＭ１の駆動によりシロッコファン２８が回転していき、この回転により浴室２の空気が浴室空調装置１０の第１吸込口１３から吸い込まれ、また、洗面所５,トイレ６の空気が通気ガラリ２５,２６およびダクト２２,２３を通って浴室空調装置１０の第１,第２吸気口１８,１９に吸い込まれていく。
【００３１】
この第１吸込口１３や第１,第２吸気口１８,１９に吸い込まれた空気は、シロッコファン２８の回転により排気口２０および排気ダクト２１を介して外へ排気されていく。
【００３２】
ところで、浴室２,洗面所５およびトイレ６は、ドアに設けたガラリやアンダカットを介して各部屋７〜９,６０,６１に連通しているので、これら部屋７〜９,６０,６１の空気の排気も行われる。
【００３３】
他方、浴室空調装置１０の制御装置３０の信号により、中間ダクトファン４０のモータ駆動回路８０が動作してモータＭ３が駆動され、このモータＭ３の駆動により吸気口４６へ吸気ダクト４７を介して外気が吸気され、この吸気された外気が高性能フィルタ４３を通り、ここで塵埃とＮＯXが除去され、この除去された外気がシロッコファン４２によりチャンバ５０内へ送風される。このチャンバ５０内へ送風された外気は、各給気口５１〜５５および給気ダクト５６〜５９,６１を介して各部屋７〜９,６０,６１へ給気される。
【００３４】
各部屋７〜９,６０,６１へ給気された新鮮な空気は、ドアに設けたガラリやアンダカットを介して浴室２,洗面所５およびトイレ６にも給気されていく。
【００３５】
そして、浴室空調装置１０による排気量と、中間ダクトファン４０による給気量とが等しくなるようにモータＭ１,Ｍ３の回転数が設定されているので、通常の常時換気を行っている場合には、排気量と給気量との比率が一定となるようにバランスがとれており、各部屋７〜９,６０,６１や浴室２,洗面所５,トイレ６は負圧になってしまうことがない。
【００３６】
そして、レンジフードファン７０が運転されるまで、図８に示すフロー図のステップ１が繰り返し行われる。
【００３７】
電源スイッチ９１のオンによりレンジフードファン７０が運転されると、ステップ１でイエスと判断されてステップ２へ進む。
【００３８】
レンジフードファン７０の運転によりキッチン４の空気が排気されて、浴室空調装置１０による排気量とレンジフードファン７０による排気量との総排気量が中間ダクトファン４０による給気量よりも多くなる。
【００３９】
すなわち、図９に概念的に示すと、浴室空調装置１０による排気と中間ダクトファン４０による給気とで室内Ａのバランスがとれていたのが、レンジフードファン７０による排気により、そのバランスが崩れて室内Ａが負圧になってしまう。
【００４０】
ステップ２では、浴室空調装置１０による排気量を低下させるか、中間ダクトファン４０による給気量を増加させる。
【００４１】
これにより、浴室空調装置１０の排気量とレンジフードファン７０の排気量との総排気量が中間ダクトファン４０の給気量よりも多くなってしまうことが防止される。すなわち、レンジフードファン７０が運転されても図９に示す浴室空調装置１０の排気量が減少され、または中間ダクトファン４０の給気量が増加されることにより、室内Ａのバランスがとれることになる。換言すれば、中間ダクトファン４０の給気量と浴室空調装置１０およびレンジフードファン７０の総排気量のバランスを崩さないように、中間ダクトファン４０および浴室空調装置１０を制御するものである。
【００４２】
この制御により、住宅内が負圧となってしまうことが防止され、ドアや窓の開閉が重くなったり、窓の隙間からの室内への空気の流入が防止され、さらに、その流入の際の風切り音が発生することもない。
【００４３】
また、中間ダクトファン４０に設けた高性能フィルタ４３で外気を集中清浄することができ、フィルタの交換は一カ所でよいことになる。
【００４４】
リモコン３１により暖房モードが設定されると、モータＭ２のみが駆動される他にヒータ１６が通電される。モータＭ２の駆動によりシロッコファン２９が回転して第２吸込口１４から浴室の空気が吸い込まれて吹出口１５から浴室２へ吹き出される。この吹出口１５から吹き出される空気はヒータ１６によって加熱されるので浴室１１の暖房が行われる。
【００４５】
換気モードが設定された場合には、モータＭ１のみが駆動され、ヒータ１６は非通電状態とされる。このモータＭ１の駆動によって、上述のように浴室２,洗面所５,トイレ６,部屋７〜９,６０,６１の空気の排気が行われる。
【００４６】
涼風モードが設定された場合には、ヒータ１６の通電が停止され、モータＭ２のみが駆動される。すなわち、吹出口１５から空気が吹き出され、浴室空調装置１０は扇風機として機能することになる。
【００４７】
第１実施例の換気システム１は、連続的または断続的に換気を行う常時換気を行っており、住宅全体で換気が必要なエリアの容積の所定（規定）換気量を満たすようになっている。所定換気量とは、換気回数として例えば０.５回／時間となっている。ただし、この換気回数は冬期等においては、例えば０.３回／時間の低風量となるようにスイッチ等の選択手段を設けて切り換えられるようにしてもよい。この所定（規定）換気量とは、給気量と排気量のうち少なくとも何れかが満たすようになっていればよい。
【００４８】
この第１実施例の換気システム１によれば、所定換気回数を常時満たしつつ、住宅内が負圧になってしまうのを防止することができる。
【００４９】
第１実施例の浴室空調装置１０は、換気用のシロッコファン２８と循環用のシロッコファン２９の２つを備えているが、１つのシロッコファンと、ダンパの切り換えによって換気や暖房や涼風等が行える浴室空調装置であってもよい。
［第２実施例］
図１０は第２実施例の換気システムの制御系の構成を示したブロック図である。図１０において、１０１は浴室空調装置１０の排気風量を検知する風量検知装置（風量検知手段）であり、この風量検知装置１０１は、例えばファンやシャッタ等から構成され、図２に示す接続ダクト２０Ａや排気ダクト２１内に設けるものである。そして、そのファンの回転数やシャッタの開度から排気風量を検出するものである。
【００５０】
１１０は中間ダクトファン４０の給気量を検知する風量検知装置（風量検知手段）であり、この風量検知装置１１０は、例えばファンやシャッタ等から構成され、図４に示す接続ダクト４７Ａや給気ダクト４７内に設けるものである。そして、そのファンの回転数やシャッタの開度から排気風量を検出するものである。
［動  作］
次に、第２実施例の動作について説明する。
【００５１】
いま、浴室空調装置１０による各部屋の換気と、中間ダクトファン４０による各部屋への給気とが行われる、いわゆる常時換気が行われているものとする。そして、図１１に示すように浴室空調装置１０による排気量と中間ダクトファン４０による給気量とが等しく、排気と給気のバランスがとれている。
【００５２】
室外の風（外気風）が弱い場合、浴室空調装置１０の排気量や中間ダクトファン４０の給気量はほぼ一定であり、図１２に示すフロー図のステップ１０ではイエスと判断され、強い風が吹くまでステップ１０の処理動作が繰り返し行われる。
【００５３】
そして、図１１に示すように、強い風（外気風）が矢印Ｑ１で示すように吹くと、浴室空調装置１０による排気量が大きく減少し、中間ダクトファン４０の給気量が大きく増加する。すなわち、風量検知装置１０１,１１０が検知する風量が大きく変動し、ステップ１０ではノーと判断されてステップ１１へ進む。
【００５４】
ステップ１１では、風量が増加した機器の風量が低下される。すなわち、中間ダクトファン４０のモータＭ３の駆動力が低下され、このため給気量が減少して元の給気量に戻される。また、風量が減少した機器は負荷が増大したと判断し、その機器の風量が低下される。すなわち、浴室空調装置１０のモータＭ１の駆動力が低下され、このためその排気量が減少する。
【００５５】
逆に、矢印Ｑ２で示すように強い風が吹くと、浴室空調装置１０による排気量が大きく増加し、中間ダクトファン４０の給気量が大きく減少する。そして、風量が増加した機器の風量が低下される。すなわち、浴室空調装置１０のモータＭ１の駆動力が低下され、このためその排気量が減少して元の排気量に戻される。また、風量が減少した機器は負荷が増大したと判断し、その機器の風量が低下される。すなわち、中間ダクトファン４０のモータＭ３の駆動力が低下され、このためその給気量が減少する。
【００５６】
このように、中間ダクトファン４０による給気風量や浴室空調装置１０による換気風量が変動したとき、どちらか一方の風量が規定風量（所定換気量）を満たすように中間ダクトファン４０のモータＭ３の駆動力や浴室空調装置１０のモータＭ１の駆動力を低下させるものであるから、外の強い風の影響を受けることなく省エネを図ることがきる。
【００５７】
第２実施例の換気システムは、風量検知装置１０１,１１０から検出した結果を基に、給気量と排気量のうちどちらか１つが所定換気量に近づくように浴室空調装置（第１排気手段）１０と中間ダクトファン（給気手段）４０を制御している。このようにすることにより、過剰な換気量とならず、さらにモータＭ１,Ｍ３への負荷も軽減できる。
【００５８】
第２実施例の換気システムは、第１実施例と同様に連続的または断続的に換気を行う常時換気を行っており、住宅全体で換気が必要なエリアの容積の所定（規定）換気量を満たすようになっている。所定換気量とは、換気回数として例えば０.５回／時間となっている。ただし、この換気回数は冬期等においては、例えば０.３回／時間の低風量となるようにスイッチ等の選択手段を設けて切り換えられるようにしてもよい。この所定（規定）換気量とは、給気量と排気量のうち少なくとも何れかが満たすようになっていればよい。
【００５９】
つまり、外気風圧等の圧力変化に対応して、一方のみは少なくとも所定の換気回数を満たすように、モータＭ１,Ｍ３を制御するものである。
【００６０】
第２実施例では、外気の風圧等の環境変化時に、浴室空調装置１０のモータＭ１と給気用の中間ダクトファン４０のモータＭ３の双方の駆動力を低下させたが、給気量と排気量のうち何れか片方が規定風量となるように制御すれば、両モータＭ１,Ｍ３のうち片方のみの駆動力を調整するようにしてもよい。
【００６１】
第１,第２実施例の換気システムの第１排気手段として浴室空調装置としたが、排気型の中間ダクトファンでもよいく、単一でなく複数の換気装置からなってもよい。同様に、給気手段としては、パイプファン等の給気装置でもよく、単一の給気装置でなく、複数の給気装置からなっていてもよい。
［第３実施例］
図１３は第３実施例の換気システムに使用する換気装置（熱交換型換気ユニット）５０１を示す。
【００６２】
この空調装置としての換気装置５０１の主要構成は、室内の天井板５０３の上部若しくは上方に配設される本体ケース５０２に、建物外部の空気（外気）を取り入れて室内に供給するための外気導入風路ＡＲ１と、室内空気を取り入れて建物外部に排気するための排気風路ＡＲ２とが形成されている。
【００６３】
また、外気導入風路ＡＲ１と排気風路ＡＲ２とを交差させた交差部分には、建物外部の空気を通過させる外気用通路Ｐ１と室内空気を通過させる排気用通路Ｐ２とで熱交換を行う熱交換素子５１１が設けられている。
【００６４】
本体ケース５０２は、本体ケース５０２を天井板５０３の上部又は上方に設置する状態で、熱交換素子５１１の排気用通路Ｐ２の室内空気を導入する吸込口が開口する室内空気吸込面Ｆ２を、熱交換素子５１１の外気用通路Ｐ１の建物外部の空気を所望の室内に供給する吹出口が開口する吹出面Ｆ１より、下側に位置するように構成されている。
【００６５】
排気用通路Ｐ２の室内空気吸込面Ｆ２に臨む本体ケース５０２の側壁部５０８と、室内空気吸込面Ｆ２に臨む本体ケース５０２の蓋板５１５のそれぞれには、室内空気吸込用の吸込口５１６がそれぞれ閉鎖可能に設けられている。
【００６６】
以下、各部分につき説明する。本体ケース５０２は直方体形状の箱形金属ケースからなる。本体ケース５０２の長手方向の一方の側壁部５０５には、室内の空気を建物外に排気する室内空気排出用の出口側の開口部５０６と、建物外部の空気を室内に導入する外気導入用の入口側の開口部５０７とが形成されている。本体ケース５０２の長手方向の他方の側壁部５０８には、本体ケース５０２の内部に導入した空気を室内に送風する外気導入用の出口側の開口部５０９が形成されている。開口部５０７，５０９は本体ケース５０２の外気導入用の開口部を構成し、開口部５０６と後述する開口部５３４は本体ケース５０２の室内空気の排気風路を構成する。
【００６７】
また、本体ケース５０２の天井板５０３に接する底板部５１０側には、熱交換素子５１１の保持部材５１２、５１３を脱着するための開口部５１４が形成されており、この開口部５１４を閉鎖する蓋板５１５に、室内の空気を建物の外部に排出するための入り口側の開口部５１６が形成されている。蓋板５１５の開口部５１６は室内空気の吸込用の開口部であり、この開口部５１６は図示しないカバーによってネジ止めにより閉鎖可能とされている。
【００６８】
蓋板５１５は、開口部５１４を閉鎖するために、底板部５１０の一部を形成する。この開口部５１４は、保持部材５１２，５１３を開口部５０４より脱着するために、開口部５０４より小さく形成されている。蓋板５１５は開口部５１４の縁部に図示しないヒンジにより取り付けられ、開閉可能とされている。
【００６９】
本体ケース５０２の保持部材５１２，５１３から離間した部位には、ファンケース５１７、５１８を格納する固定枠５１９が取り付けられており、固定枠５１９の高さ方向の中央部には、風路を仕切る仕切板５２０が取り付けられている。
【００７０】
仕切板５２０の上部に配設されるファンケース５１７の排気口部は、固定枠５１９の縦壁部５１９Ａに固定されており、縦壁部５１９Ａに室内空気排気用の開口部５２１が開口されている。仕切板５２０の下部に配設されるファンケース５１８の排気口部は、固定枠５１９の縦壁部５１９Ｂに固定されており、縦壁部５１９Ｂに外気導入用の開口部５２２が開口されている。
【００７１】
また、固定枠５１９の縦壁部５１９Ａには、建物外部の空気を導入する外気導入用の開口部５２３が形成され、固定枠５１９の縦壁部５１９Ｂには、室内空気を建物外部に排気する室内空気排気用の開口部５２４が形成されている。
【００７２】
ファンケース５１７の内部には遠心ファン５２５が配設され、ファンケース５１８の内部には遠心ファン５２６が配設されている。遠心ファン５２５，５２６は仕切板５２０に取り付けられたモータ５２７Ｍａ,５２７Ｍｂの回転軸５２７Ａ,５２７Ｂに回り止めされて固定されている。モータ５２７Ｍａ,５２７Ｍｂは図示しない制御基板に接続され、制御基板からの電力制御により回転する。ファンケース５１７，５１８はそれぞれ空気取り入れのための開口部となるベルマウス５１７Ａ、５１８Ａを備えている。
【００７３】
固定枠５１９と本体ケース５０２の側壁部５０５との間には、樹脂板５２８が設けられている。樹脂板５２８には、開口部５０６，５０７とそれぞれ通じる開口部５２９，５３０が形成されており、開口部５２９，５３０の縁部に筒状のダクトジョイント５３１，５３２が接触している。
【００７４】
本体ケース５０２の側壁部５０８側には、本体ケース５０２内部に取り入れた建物の外部の空気を室内に供給するための開口部５０９と、他の室内の空気を建物外部に排出するための開口部５３４とが形成されている。開口部５０９の縁部には筒状のダクトジョイント５３５が接触しており、開口部５３４の縁部にはダクトジョイント５３６が接触している。ダクトジョイント５３６は、図１４に示すようにダクト２２３が接続されて吸込口２２２に通じており、この吸込口２２２により洗面所、脱衣室やこれら室内に集められた空気を吸い込むようになっている。
【００７５】
ダクトジョイント５３１、５３２には、建物外部と通じるダクトＥＡＤ,ＯＤＡが接続される。ダクトジョイント５３５には本体ケース５０２に取り入れた新しい空気を供給するための室内天井に延びる図示しないダクトが接続される。尚、ダクトジョイント５３５には、換気を希望する室内の天井や壁面等に設けた給気グリル２２４Ａ,２２５Ａに接続されるダクトが装着可能となっている。
【００７６】
熱交換手段としての熱交換素子５１１は、室内から建物の外部に排出される排出空気と、建物の外部から室内に導入される導入空気との間において熱交換がなされるようになっている。
【００７７】
熱交換素子５１１は保持部材５１２、５１３の間に挟まれて保持されている。
【００７８】
保持部材５１２は、本体ケース５０２の天井板部５０２Ａに面接触する天井板部５５１と、熱交換素子５１１への空気の風路を仕切る仕切板部５５２とを有する。仕切板部５５２の縁部５５２Ａは熱交換素子５１１の角部の面取り部を保持する。
【００７９】
また、保持部材５１２には、蓋板５１５に形成された箱体形状の空気案内部５５３を収納する枠部５５４が形成されている。更に、開口部５０９及びダクトジョイント５３５に通じる外気導入用の開口部５５５が形成され、室内空気吸込用の吸込口５５３Ａ及びダクトジョイント５３６に通じることが可能な室内空気吸込用の吸込口５５６が形成されている。
【００８０】
保持部材５１３は、本体ケース５０２の天井板部５０２Ａに面接触する天井板部５６２と、熱交換素子５１１への空気の風路を仕切る仕切板部５６３とを有する。また、保持部材５１３にはファンケース５１８に空気を通すための外気導入用の開口部５６６が開口されている。
【００８１】
蓋板５１５の上面部には、熱交換素子５１１の通路Ｐに細かな塵埃が入り込むことを防止するためのフィルター５８０、５８１の取付枠５８２，５８３が着脱可能に支持されている。
【００８２】
蓋板５１５の下方には、室内の空気を蓋板５１５の開口部５１６に導入するためのフロントパネル５８８が着脱可能に取り付けられる。フロントパネル５８８には空気を取り入れるための開口部５８９を有しており、フロントパネル５８８と蓋板５１５の間には空気を通す通路５９０が形成されるようになっている。
【００８３】
この実施の形態の換気装置５０１においては、建物外部の空気を室内に取り入れる外気導入風路ＡＲ１は、ダクトジョイント５３２と、縦壁部５０５の開口部５０７と、樹脂板５２８の開口部５３０と、開口部５２３と、仕切板５２０で仕切られたファンケース５１８の配設空間ＳＰ１（外気導入室）と、ファンケース５１８と、開口部５２２と、開口部５６６と、仕切板部５６３で仕切られた保持部材５１３の下部の空間ＳＰ２と、フィルター５８０と、熱交換素子５１１と、熱交換素子５１１と保持部材５１２の仕切板部５５２上部の空間ＳＰ３と、開口部５０９と、ダクトジョイント５３５とにより形成される。
【００８４】
また、室内の空気を建物の外側に排出する換気風路ＡＲ２は、フロントパネル５８８の開口部５８９と、フロントパネル５８８と蓋板５１５の間の通路５９０と、開口部５１６と、熱交換素子５１１と保持部材５１２の仕切板部５５２下部の空間ＳＰ４と、熱交換素子５１１と保持部材５１３の仕切板部５６３上部の空間ＳＰ５と、開口部５６４と、開口部５２４と、仕切板５２０上部の空間ＳＰ６（室内空気導入室）と、ファンケース５１７と、開口部５２１，５２９，５０６とダクトジョイント５３１とで構成される。
【００８５】
図１４は、図１３に示す換気装置５０１を通路２２０の天井部に設置したものであり、洗面所・脱衣所２２１の天井部に室内空気吸込口２２２をに設けたものである。室内空気吸込口２２２はダクト２２３を介してダクトジョイント５３６に接続されている。洗面所・脱衣所２２１の湿った室内空気は室内空気吸込口２２２から吸い込まれ、建物の外部に排気される。また、キッチンＫにはキッチンＫの空気を排気するレンジフードファン６００が設けられている。
【００８６】
２０３Ａは外気を建物内部に取り入れるフード、２０３Ｂは室内の空気を建物外部に排出するフードである。フード２０３Ａ近傍に設けられた外気吸込口（図示せず）はダクトを介して換気装置５０１のダクトジョイント５３２に接続され、フード２０３Ｂ近傍に設けられた排気口（図示せず）はダクトを介して換気装置５０１のダクトジョイント５３１に接続されている。
【００８７】
換気装置５０１のダクトジョイント５３５は３つ設けられており、和室２２４の角部に設けた給気口２２４Ａと、ダイニングリビング２２５の角部に設けた給気口２２５Ａ,２２５Ｂにダクトを介してそれぞれダクトジョイント５３５に接続され、それら給気口２２４Ａ,２２５Ａ,２２５Ｂから外気を供給する。和室２２４，ダイニングリビング２２５の給気口２２４Ａ,２２５Ａ，２２５Ｂから給気し、給気された空気は、給気口２２４Ａ,２２５Ａから対角線上の離れた位置にある和室２２４の戸２２６や出入口２２７の下部に設けられたアンダーカット部やガラリ部を通して、換気装置５０１に設けられた開口部５１６や吸込口２２２に集められ、吸い込まれる構造となっている。このため、室内空間を換気経路としているため、淀みなく換気が行える。
【００８８】
図１５は第３実施例の換気システムを概念的に示したものである。この換気システムでは、レンジフードファン６００が動作していないときには、換気装置５０１のモータ５２７Ｍａ,５２７Ｍｂ（図１３参照）が通常の駆動力で駆動され、このモータ５２７Ｍａ,５２７Ｍｂの駆動により遠心ファン５２５,５２６が回転する。
【００８９】
この遠心ファン５２６の回転により、図１４に示すフード２０３Ａの外気吸込口から外の空気ＯＡが吸い込まれ、外気導入風路ＡＲ１を通って熱交換素子５１１へ送風される。さらに、空気ＯＡは熱交換素子５１１の外気用通路Ｐ１を通って開口部５５５およびダクトジョイント５３５へ送風される。ダクトジョイント５３５へ送風された外気はＳＡとしてダクトを介して給気口２２４Ａ,２２５Ａ,２２５Ｂへ送風され、この給気口２２４Ａ,２２５Ａ,２２５Ｂから外気ＳＡが和室２２４やダイニングリビング２２５へ給気される。
【００９０】
他方、この遠心ファン５２５の回転により、フロントパネル５８８の開口部５８９から室内の空気ＲＡが吸引され、この吸引された室内の空気ＲＡが図１３に示す矢印方向に吸引されて熱交換素子５１１の排気用通路Ｐ２を通り、さらに排気風路ＡＲ２を通って排気ＥＡとしてフード２０３Ｂの排気口から外へ排気される。
【００９１】
そして、レンジフードファン６００が動作していないときには、フロントパネル５８８の開口部５８９へ吸引される室内の空気の風量ＲＡと、ダクトジョイント５３１およびダクトを介してフード２０３Ｂの排気口から排気される風量ＥＡと、フード２０３Ａの外気吸込口から吸い込まれる外気の風量ＯＡと、ダクトジョイント５３５およびダクトを介して給気口２２４Ａ,２２５Ａ,２２５Ｂから室内へ給気される外気の風量ＳＡとがそれぞれ等しくなっている。すなわち、ＲＡ＝ＥＡ＝ＯＡ＝ＳＡとなっている。
【００９２】
つまり、室内へ給気される給気量と室外へ排気される排気量とが等しく、バランスがとれており、室内が負圧になってしまうことがない。
【００９３】
そして、レンジフードファン６００が動作されると、換気装置５０１による排気量とレンジフードファン６００による排気量との総排気量が換気装置５０１による給気量よりも多くなる。
【００９４】
しかし、換気装置５０１のモータ５２７Ｍａの駆動力が減少されて遠心ファン５２５の回転数が減少される。また、モータ５２７Ｍｂの駆動力が増加されて遠心ファン５２６の回転数が増加される。これにより、換気装置５０１による室内への給気量（ＳＡ,ＯＡ）が増加し、排気量（ＲＡ,ＥＡ）が減少する。
【００９５】
このため、レンジフードファン６００が動作しても、換気装置５０１の排気量とレンジフードファン６００の排気量との総排気量が換気装置５０１の給気量よりも多くなってしまうことが防止される。すなわち、レンジフードファン６００が運転されても換気装置５０１の排気量が減少され、換気装置５０１の給気量が増加されることにより、室内のバランスがとれることになる。換言すれば、換気装置５０１の給気量と換気装置５０１の排気量およびレンジフードファン６００の総排気量のバランスを崩さないように、換気装置５０１のモータ５２７Ｍａ,５２７Ｍｂを制御するものである。
【００９６】
なお、レンジフード３００の動作時に、遠心ファン５２５の回転数を減少させることにより、換気装置５０１による排気風量を減らすとともに、遠心ファン５２６の回転数を増加させて給気風量を増やすようにしたが、住宅内で給気量と排気量が同等となるようにバランスがとれるようになっていれば、遠心ファン５２５の回転数を減少させることにより換気装置５０１による排気風量を減らし、遠心ファン５２６の回転数を変更せずに、給気風量を維持させるようにしてもよい。
【００９７】
この制御により、住宅内が負圧となってしまうことが防止され、ドアや窓の開閉が重くなったり、自然給気口からの室内への空気の流入が防止され、さらに、その流入の際の風切り音が発生することもない。
【００９８】
この第３実施例の換気システムは、連続的または断続的に換気を行う常時換気を行っており、住宅全体で換気が必要なエリアの容積の所定（規定）換気量を満たすようになっている。所定換気量とは、第１実施例と同様であり、第１実施例と同様な効果を得ることができるのでその説明は省略する。
【００９９】
この第３実施例の換気システムでは、レンジフードファン６００が動作されたとき、モータ５２７Ｍａ,５２７Ｍｂを制御しているが、第２実施例と同様に、風量検知装置１０１,１１０を設け、風による外風圧によって換気装置５０１の給気風量や排気風量の変動を検知し、この変動が大きいとき、図１２に示すステップ１１と同様な処理を行う。
【０１００】
すなわち、例えば外気の風圧（外風圧）によって外気の給気量ＳＡが増加し、排気量ＥＡが減少したとき、給気量が増加したモータ５２７Ｍｂの駆動力を低下させ、給気量ＳＡを規定給気量にする。また、排気量ＥＡが減少したモータ５２７Ｍａの負荷が増大したと判断し、モータ５２７Ｍａの駆動力も低下させる。
【０１０１】
逆に、給気量ＳＡが減少し、排気量ＥＡが増加したとき、その排気量が規定排気量になるようにモータ５２７Ｍａの駆動力を低下させるとともに、モータ５２７Ｍｂの駆動力を低下させる。
【０１０２】
このように、どちらか一方の風量が規定風量を満たすように換気装置５０１のモータ５２７Ｍａ,５２７Ｍｂの駆動力を低下させるとともに、負荷が増加したモータ５２７Ｍａ,５２７Ｍｂの駆動力を低下させれば、第２実施例と同様な効果を得ることができる。
【０１０３】
なお、外風圧等の環境変化時に、モータ５２７Ｍｂとモータ５２７Ｍａの双方の駆動力を低下させたが、給気量と排気量のうち何れか片方が規定風量となるように制御すれば、モータ５２７Ｍｂとモータ５２７Ｍａのうち片方のみの駆動力を調整するようにしてもよい。
【０１０４】
第３実施例では、換気装置５０１の室内空気の吸い込み口は、本体下面に設けられた開口部５８９と洗面所・脱衣室２２１の天井に設けられた室内空気吸込口２２２としたが、室内空気吸込口２２２の設置は、洗面所・脱衣室以外の室内の天井部や壁面部でもよく、さらに、換気装置５０１のダクトジョイント５３６を設けずに、本体下に設けらられた開口部５８９のみとしてよい。さらに、ダクト２２３の室内空気吸込口２２２を廊下等の通路等に設けて、開口部５８９を設けずに住宅の室内空気を吸い込むようにしてもよい。
【０１０５】
また、給気口２２４Ａ,２２５Ａは２つであるが、３つでもそれ以外の数でもよく、給気口２２４Ａ,２２５Ａは換気装置５０１の本体に途中から分岐するような分岐チャンバを設けて、複数個として複数の室内に給気するようにしてもよい。
【図面の簡単な説明】
【０１０６】
【図１】この発明に係る換気システムの構成を示した説明図である。
【図２】浴室空調装置の構成を示した断面図である。
【図３】浴室空調装置の一部を削除した底面図である。
【図４】中間ダクトファンを示した底面図である。
【図５】中間ダクトファンを示した側面図である。
【図６】レンジフードファンを示した説明図である。
【図７】換気システムの制御系の構成を示したブロック図である。
【図８】換気システムの動作を示したフロー図である。
【図９】換気システムを概念的に示した説明図である。
【図１０】第２実施例の換気システムの制御系の構成を示したブロック図である。
【図１１】第２実施例の換気システムを概念的に示した説明図である。
【図１２】第２実施例の動作を示したフロー図である。
【図１３】第３実施例の換気装置の構成を示した断面図である。
【図１４】第３実施例の換気システムを示した説明図である。
【図１５】第３実施例の換気システムを概略的に示した概念図である。
【符号の説明】
【０１０７】
１０              浴室空調装置（換気手段）
４０              中間ダクトファン（給気手段）
７０              レンジフードファン
【図１】
2006046731.tif 000003
【図２】
2006046731.tif 000004
【図３】
2006046731.tif 000005
【図４】
2006046731.tif 000006
【図５】
2006046731.tif 000007
【図６】
2006046731.tif 000008
【図７】
2006046731.tif 000009
【図８】
2006046731.tif 000010
【図９】
2006046731.tif 000011
【図１０】
2006046731.tif 000012
【図１１】
2006046731.tif 000013
【図１２】
2006046731.tif 000014
【図１３】
2006046731.tif 000015
【図１４】
2006046731.tif 000016
【図１５】
2006046731.tif 000017